(57)【要約】      （修正有）【課題】投写画像の台形歪補正による画素値の間引きを抑えながらより大きく画像を投写できるプロジェクターを提供する。【解決手段】プロジェクターは、入力される画像信号に基づいた画像データを生成する画像信号処理手段１７と、光源から射出された光を前記画像データに応じて光変調装置で変調し、前記変調された画像を投写面に投写画像として投写する画像投写手段と、を有するプロジェクターであって、前記投写画像に生じる台形歪を補正するための台形歪補正手段１５と、前記投写画像を複数の部分領域に区切るために、前記複数の部分領域の境界となる区切線の数、および前記区切線の位置を示す領域情報を設定する領域設定手段２０１と、を備え、前記台形歪補正手段１５は、前記領域情報に基づき、前記複数の部分領域毎に台形歪を補正する。【選択図】図１
2014225824.tif 000002
【特許請求の範囲】
【請求項１】
入力される画像信号に基づいた画像データを生成する画像信号処理手段と、光源から射出された光を前記画像データに応じて光変調装置で変調し、前記変調された画像を投写面に投写画像として投写する画像投写手段と、を有するプロジェクターであって、
前記投写画像に生じる台形歪を補正するための台形歪補正手段と、
前記投写画像を複数の部分領域に区切るために、前記複数の部分領域の境界となる区切線の数、および前記区切線の位置を示す領域情報を設定する領域設定手段と、を備え、
前記台形歪補正手段は、前記領域情報に基づき、前記複数の部分領域毎に台形歪を補正する、ことを特徴とするプロジェクター。
【請求項２】
請求項１に記載のプロジェクターにおいて、
入力操作を受け付ける入力操作手段をさらに備え、
前記領域設定手段は、前記入力操作手段が所定の領域情報設定操作を受け付けたとき、前記領域情報を設定する、ことを特徴とするプロジェクター。
【請求項３】
請求項１または２に記載のプロジェクターにおいて、
外部機器と通信する通信手段をさらに備え、
前記領域設定手段は、前記通信手段より、所定の領域情報設定コマンドを受け付けたとき、前記領域情報を設定する、ことを特徴とするプロジェクター。
【請求項４】
請求項１から３のいずれか一項に記載のプロジェクターにおいて、
前記画像信号が入力する複数の画像入力端子を備え、
前記領域設定手段は、前記投写画像を投写するために選択される前記画像入力端子に対応して、前記領域情報を設定する、ことを特徴とするプロジェクター。
【請求項５】
請求項１から４のいずれか一項に記載のプロジェクターにおいて、
前記画像データを保存する記憶手段をさらに備え、
前記領域設定手段は、保存された前記画像データに対応して、前記領域情報を設定する、ことを特徴とするプロジェクター。
【請求項６】
入力される画像信号に基づいた画像データを生成する画像信号処理手段と、光源から射出された光を前記画像データに応じて光変調装置で変調し、前記変調された画像を投写面に投写画像として投写する画像投写手段と、を有するプロジェクターの制御方法であって、
前記投写画像に生じる台形歪を補正するための台形歪補正ステップと、
前記投写画像を複数の部分領域に区切るために、前記複数の部分領域の境界となる区切線の数、および前記区切線の位置を示す領域情報を設定する領域設定ステップと、を備え、
前記台形歪補正ステップは、前記領域情報に基づき、前記複数の部分領域毎に台形歪を補正する、ことを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、画像をスクリーン等の投写面に投写するプロジェクターにおいて、スクリーンに対してプロジェクターの設置位置が正対していない場合に投写画像に歪みが生じる（投写歪）。例えばスクリーンに対してプロジェクターを上下または左右方向に傾けて投写する、あおり投写を行った場合、スクリーンに表示される画像が台形状に歪む現象（台形歪）が生じる。このため、特許文献１のように、光変調装置で画像を形成する際に台形歪を相殺するように歪ませた画像を形成することによって投写画像を補正するプロジェクターが知られている。
【０００３】
また、特許文献２のように、プロジェクターの設置角度を自動検出して、台形歪補正を行うプロジェクターも開示されている。
【先行技術文献】
【特許文献】
【０００４】
【特許文献１】特開平９−２６１５６８号公報
【特許文献２】特開２００３−２８３９６３号公報
【発明の概要】
【発明が解決しようとする課題】
【０００５】
しかしながら、特許文献１に開示されるような台形歪補正処理においては、投写画像の幅は、台形に歪ませた補正後の画像データの台形の短辺に対応する長さになる。このため、ズームによる拡大が限界で、プロジェクターの位置を変えずに文字画像などを投写面上により大きく投写したい場合、あおり角度を大きくする必要がある。しかし、あおり角度を大きくすると投写位置が上方に移動し、投写面からはみ出てしまうことがある。また、あおり角度を大きくすると、投写画像を矩形に維持するために画素の間引き量が大きくなるので、画質の劣化を抑えながらより大きな文字を投写するのが難しいという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、入力される画像信号に基づいた画像データを生成する画像信号処理手段と、光源から射出された光を前記画像データに応じて光変調装置で変調し、前記変調された画像を投写面に投写画像として投写する画像投写手段と、を有するプロジェクターであって、前記投写画像に生じる台形歪を補正するための台形歪補正手段と、前記投写画像を複数の部分領域に区切るために、前記複数の部分領域の境界となる区切線の数、および前記区切線の位置を示す領域情報を設定する領域設定手段と、を備え、前記台形歪補正手段は、前記領域情報に基づき、前記複数の部分領域毎に台形歪を補正する、ことを特徴とする。
【０００８】
本適用例によれば、投写画像を区切線によって複数の部分領域に区切り、各部分領域毎に台形歪補正を行う。これにより、投写画像全体を台形歪補正する場合に比べ、部分領域に区切ることで台形歪補正による画素の間引きが少なくなり、さらにあおり投写による拡大幅が大きい部分領域ほど台形歪補正後の投写画像の幅が大きくなる。つまり、あおり方向に向かう部分領域ほど、台形歪を補正した上でより大きな画像を投写することが可能となる。
【０００９】
［適用例２］上記適用例に記載のプロジェクターにおいて、入力操作を受け付ける入力操作手段をさらに備え、前記領域設定手段は、前記入力操作手段が所定の領域情報設定操作を受け付けたとき、前記領域情報を設定することが好ましい。
【００１０】
本適用例によれば、入力操作手段の所定操作により、投写画像を複数の部分領域に区切るときの区切線の数、および区切線の位置などの領域情報が設定される。これにより、投写中の画像に応じて入力操作手段を操作するユーザーが所望の部分領域を設定し、この部分領域毎に台形歪を補正することができる。
【００１１】
［適用例３］上記適用例に記載のプロジェクターにおいて、外部機器と通信する通信手段をさらに備え、前記領域設定手段は、前記通信手段より、所定の領域情報設定コマンドを受け付けたとき、前記領域情報を設定することが好ましい。
【００１２】
本適用例によれば、外部機器（例えば、パーソナルコンピューター等）から所定のコマンドにより、投写画像を複数の部分領域に区切るときの区切線の数、および区切線の位置などの領域情報が設定される。これにより、プロジェクターを外部機器で制御しているとき、外部機器の操作で投写画像の区切り方を変更し、部分領域毎に台形歪を補正することが可能となる。
【００１３】
［適用例４］上記適用例に記載のプロジェクターにおいて、前記画像信号が入力する複数の画像入力端子を備え、前記領域設定手段は、前記投写画像を投写するために選択される前記画像入力端子に対応して、前記領域情報を設定することが好ましい。
【００１４】
本適用例によれば、領域設定手段は、選択される画像入力端子に対応した領域情報を設定する。これにより、複数の画像入力端子に異なる外部機器を接続している場合、画像入力端子を切り替える操作に連動して、画像入力端子に対応する投写画像の区切り方を変更し、部分領域毎に台形歪を補正することが可能となる。
【００１５】
［適用例５］上記適用例に記載のプロジェクターにおいて、前記画像データを保存する記憶手段をさらに備え、前記領域設定手段は、保存された前記画像データに対応して、前記領域情報を設定することが好ましい。
【００１６】
本適用例によれば、画像データを保存する記憶手段を備え、領域設定手段は、この保存された画像データに対応して、領域情報を設定する。これにより、投写中の画像に対応する画像データを保存し、所定の操作により、保存した画像を読み出して、保存した画像データに対応した領域情報を設定することができる。よって、保存した画像データを読み出して投写するときに、画像データに対応して投写画像の区切り方を変更し、部分領域毎に投写画像の台形歪を補正することが可能となる。
【００１７】
［適用例６］本適用例に係るプロジェクターの制御方法は、入力される画像信号に基づいた画像データを生成する画像信号処理手段と、光源から射出された光を前記画像データに応じて光変調装置で変調し、前記変調された画像を投写面に投写画像として投写する画像投写手段と、を有するプロジェクターの制御方法であって、前記投写画像に生じる台形歪を補正するための台形歪補正ステップと、前記投写画像を複数の部分領域に区切るために、前記複数の部分領域の境界となる区切線の数、および前記区切線の位置を示す領域情報を設定する領域設定ステップと、を備え、前記台形歪補正ステップは、前記領域情報に基づき、前記複数の部分領域毎に台形歪を補正する、ことを特徴とする。
【００１８】
本適用例によれば、投写画像を区切線によって複数の部分領域に区切り、各部分領域毎に台形歪補正を行う。つまり、投写画像全体を台形歪補正する場合に比べ、部分領域に区切ることで台形歪補正による画素の間引きが少なくなり、さらにあおり投写による拡大幅が大きい部分領域ほど台形歪補正後の投写画像の幅が大きくなる。つまり、あおり方向に向かう部分領域ほど、台形歪を補正した上でより大きな画像を投写することが可能となる。
【図面の簡単な説明】
【００１９】
【図１】本実施形態のプロジェクターの回路構成を示すブロック図。
【図２】本実施形態の液晶ライトバルブを示す正面図。
【図３】台形歪を説明するための説明図。
【図４】本実施形態の投写画像を区切らない場合の台形歪補正を説明するための図。
【図５】本実施形態の投写画像を部分領域に区切った場合の台形歪補正を説明するための図。
【図６】本実施形態のプロジェクターが台形歪補正を行うときの動作を示すフローチャート。
【図７】本実施形態のプロジェクターが領域情報の設定を行うときの動作を示すフローチャート。
【図８】本実施形態のプロジェクターが画像入力端子の切替操作を受け付けたときの動作を示すフローチャート。
【図９】本実施形態のプロジェクターの画像メモ保存再生動作を示すフローチャート。
【発明を実施するための形態】
【００２０】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
なお、本実施形態においては、投写歪の一例として台形歪について記述する。台形歪補正が歪補正に相当する。
【００２１】
図１は、本実施形態のプロジェクター１の回路構成を示すブロック図である。
図１に示すように、プロジェクター１は、画像入力端子６、画像投写手段１０、台形歪補正手段１５、ＯＳＤ処理手段１６、画像信号処理手段１７、画像信号入力手段１８、制御手段２０、記憶手段２１、光源制御手段２２、入力操作手段２３、通信手段２４、電源端子３０、電源部３１等で構成されており、これらは図示しない筐体の内部または外面に配置されている。
【００２２】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２４】
図２は、液晶ライトバルブ１２Ｒ，１２Ｇ，１２Ｂを示す正面図である。液晶ライトバルブ１２Ｒ，１２Ｇ，１２Ｂは、一対の透明基板間に液晶が封入された液晶パネル等によって構成される。図２に示すように、各透明基板の内面には、液晶に対して微小領域（画素１２ｐ）毎に駆動電圧を印加可能な透明電極（画素電極）が、矩形の領域（画素領域１２ａ）内にマトリックス状に形成されている。
【００２５】
液晶駆動手段１４が、入力される画像データに応じた駆動電圧を各画素１２ｐに印加すると、各画素１２ｐは、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。
形成された各色の画像光は、図示しない色合成光学系によって画素毎に合成されてカラーの画像光となった後、投写レンズ１３によってスクリーンＳＣ等に拡大投写され投写画像となる。
【００２６】
本実施形態では、光源として光源ランプ１１ａを用いて投写するプロジェクター１を例示したが、光源としてＬＥＤ（Light emitting diode）光源やレーザー光源などを用いて投写するプロジェクターにも適用することができる。
【００２７】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２８】
図１に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
また、制御手段２０は、投写画像を複数の部分領域に区切るように指示することが可能な領域設定手段２０１を含む。領域設定手段２０１は、投写画像を複数の部分領域に区切るために、複数の部分領域の境界となる区切線の数、および区切線の位置などの領域情報を設定する。
【００２９】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では記憶手段２１は、領域設定情報２１１と、画像メモ２１２とを記憶する。領域設定情報２１１には、複数の画像入力端子６に対応した領域情報や、画像メモ２１２に保存された画像データに対応した領域情報が保存される。
【００３０】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に接続される複数の画像入力端子６のいずれかを選択することにより入力ソースを切り替える入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー、また投写中の画像を保存するメモ保存キー、保存した画像を表示するメモ表示キー等がある。
【００３１】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３２】
光源制御手段２２は、制御手段２０の指示に基づいて、光源１１に対する電力の供給と停止とを制御し、光源１１の点灯、および消灯を切り替える。
【００３３】
画像信号入力手段１８は、複数の画像入力端子６より、ビデオ再生装置やパーソナルコンピューター等、外部の画像出力装置から、図示しないケーブル、又は通信機器などを介して画像信号が入力される。入力された画像信号は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３４】
画像信号処理手段１７は、制御手段２０の指示に基づき、画像信号入力手段１８から入力される画像信号を、液晶ライトバルブ１２Ｒ，１２Ｇ，１２Ｂの各画素の階調を表す画像データに変換する。ここで、変換された画像データは、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３５】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００３６】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像データが合成された画像データは、台形歪補正手段１５に出力される。
なお、制御手段２０からＯＳＤ画像を重畳する旨の指示がない場合には、ＯＳＤ処理手段１６は、画像信号処理手段１７から入力される画像データを、そのまま台形歪補正手段１５に出力する。
【００３７】
台形歪補正手段１５は、スクリーンＳＣに対してプロジェクター１を傾けた状態で画像を投写する場合に、投写画像が傾斜方向に拡大してしまう歪（台形歪）を抑制するために、入力される画像データの補正（台形歪補正）を行う。入力操作手段２３から入力される台形歪補正指示の情報に基づいて、制御手段２０は、台形歪補正手段１５に対して台形歪補正の実施を指示し、台形歪補正手段１５は台形歪補正を実施する。台形歪補正手段１５は液晶ライトバルブ１２Ｒ，１２Ｇ，１２Ｂと同じ解像度のデータ領域を持つ画像記憶手段１５１を備える。
【００３８】
また、台形歪補正手段１５は、後で詳細に説明するが、領域設定手段２０１によって区切られた複数の部分領域毎に台形歪を補正することができるように構成されている。
台形歪補正とは、液晶ライトバルブ１２Ｒ，１２Ｇ，１２Ｂの画素の間引き、すなわち、画像データから各画素の階調を規定する画素値の間引きを行って、傾斜方向に向かうほど投写画像を縮小させるものであり、台形歪補正手段１５は、補正後の画像データを液晶駆動手段１４に出力する。
なお、台形歪補正を行わない場合には、ＯＳＤ処理手段１６から出力される画像データが、そのまま液晶駆動手段１４に出力される。
【００３９】
液晶駆動手段１４が、台形歪補正手段１５より入力される画像データ、即ち画素１２ｐ毎の画素値に従って液晶ライトバルブ１２Ｒ，１２Ｇ，１２Ｂを駆動すると、画像データに応じた画像が投写レンズ１３より投写され、スクリーンＳＣの投写面に投写画像が表示される。
【００４０】
通信手段２４は外部機器（例えばパーソナルコンピューターなど）と通信し、外部機器からのプロジェクター１を制御するためのコマンドを受け付ける。本実施形態において通信手段２４が外部機器から送信された所定のコマンド（領域情報設定コマンド）を受信すると、領域設定手段２０１は、通信手段２４が受け付けた情報に基づいて領域情報を設定する。
【００４１】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
次に、本実施形態のプロジェクターの台形歪補正について、図３〜図５を用いて説明する。
図３は、台形歪を説明するための説明図であり、画像データに対して台形歪補正を施していない状態を示す図である。ここで、同図（ａ）は、液晶ライトバルブ１２Ｒ，１２Ｇ，１２Ｂを光入射面側から見た正面図、同図（ｂ）は、スクリーンＳＣに正対するプロジェクター１が投写を行う様子を示す側面図、同図（ｃ）は、同図（ｂ）におけるスクリーンＳＣに表示される投写画像を示す正面図である。また、同図（ｄ）は、スクリーンＳＣに正対する状態よりプロジェクター１が上方に傾けられた状態で投写する様子を示す側面図であり、同図（ｅ）は、同図（ｂ）におけるスクリーンＳＣに表示される投写画像を示す正面図である。
【００４３】
なお、図３において、液晶ライトバルブ１２Ｒ，１２Ｇ，１２Ｂに向かって左右方向（水平方向の左右）を±ｘ方向、上下方向（垂直方向の上下）を±ｙ方向とし、スクリーンＳＣに向かって左右方向（水平方向の左右）を±Ｘ方向、上下方向（垂直方向の上下）を±Ｙ方向とする。ここで、スクリーンＳＣのＸ方向およびＹ方向は、それぞれ液晶ライトバルブ１２Ｒ，１２Ｇ，１２Ｂのｘ方向およびｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００４４】
また、図３〜図５において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００４５】
図３（ａ）に示すように、台形歪補正を行わない場合には、液晶ライトバルブ１２Ｒ，１２Ｇ，１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図３（ｂ）、（ｃ）に示すように、プロジェクター１がスクリーンＳＣに正対して設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００４６】
一方、図３（ｄ）、（ｅ）に示すように、プロジェクター１をスクリーンＳＣに対して傾けて設置し、上方（＋Ｙ方向）に向けて投写を行う場合には、スクリーンＳＣに表示される投写画像Ｇａは、傾斜方向（＋Ｙ方向）に向かうほど、±Ｘ方向および＋Ｙ方向に拡大されて台形状に歪む。本実施形態では、このように＋Ｙ方向（垂直方向）の傾斜投写を行った場合の台形歪補正について記載する。
【００４７】
図４、および図５は本実施形態の台形歪補正を説明するための図であり、図４は投写画像を区切らない場合の台形歪補正、図５は投写画像を複数の部分領域に区切った場合の台形歪補正を説明するための図である。
【００４８】
まず、投写画像を区切らない場合の台形歪補正について図４を用いて説明する。図４（ａ）は、液晶ライトバルブ１２Ｒ，１２Ｇ，１２Ｂを光入射面側から見た正面図、同図（ｂ）は、傾斜投写を行う場合にスクリーンＳＣに表示される投写画像を示す正面図である。
【００４９】
台形歪補正手段１５は、ＯＳＤ処理手段１６から入力される画像データから画素値の間引きを行い、補正を行わない場合に比べて、投写画像Ｇａが傾斜方向（＋Ｙ方向）に向かうほど縮小するような補正を施す。
【００５０】
具体的には、台形歪補正手段１５は、図４（ａ）に示すように、液晶ライトバルブ１２Ｒ，１２Ｇ，１２Ｂ上に補正を行わない投写画像Ｇａ（図３（ｅ）参照）と反対向きの台形形状、即ち傾斜方向（＋ｙ方向）に向かうほど横幅（±ｘ方向の幅）が縮小する形状となるように、画素領域１２ａ内に画像形成領域１２ｉを形成させる。さらに、補正後の投写画像Ｇａのアスペクト比が、補正を行わない投写画像Ｇａと同じになるように画像形成領域１２ｉを垂直方向（±ｙ方向）に縮小する。
【００５１】
また、台形歪補正手段１５は、画像形成領域１２ｉの外側の領域１２ｎに含まれる画素データの光透過率が最小となるように画像データを補正する。このように、補正された画像データは、図４（ａ）に示すように、あおり投写による拡大の程度が高い位置ほど多くの画素値が間引かれて、液晶ライトバルブ１２Ｒ，１２Ｇ，１２Ｂ上に出力される。
【００５２】
この結果、図４（ｂ）に示すように、傾斜投写による入力画像Ｇｉの歪が補正されるとともに、領域１２ｎに対応する領域Ｇｎには光がほとんど照射されないことから、投写画像Ｇａ（入力画像Ｇｉ）は、幅ｗ１を有して正規の形状（矩形状）でスクリーンＳＣに表示される。
【００５３】
次に投写画像を複数の部分領域に区切った場合の台形歪補正について図５を用いて説明する。図５（ａ）は、台形歪補正前の液晶ライトバルブ１２Ｒ，１２Ｇ，１２Ｂを光入射面側から見た正面図、図５（ｂ）は、台形歪補正後の液晶ライトバルブ１２Ｒ，１２Ｇ，１２Ｂを光入射面側から見た正面図、図５（ｃ）は、台形歪補正され、スクリーンＳＣに表示された投写画像Ｇａを示す正面図である。
図５（ａ）に示すように、液晶ライトバルブ１２Ｒ，１２Ｇ，１２Ｂの画素領域１２ａは、領域設定手段２０１の指示により、下側に位置する領域Ａ１、および上側に位置する領域Ａ２の上下２つの部分領域に区切られている。図５の例ではあおり方向は上（＋Ｙ）方向である。
【００５４】
台形歪補正手段１５は、画像記憶手段１５１の入力画像データを領域Ａ１，Ａ２それぞれに対応して台形歪補正を行う。
具体的に、台形歪補正手段１５は、画像データから画素値の間引きを行い、図５（ｂ）に示すように、領域Ａ１に画像形成領域１２ｉ１を形成させ、領域Ａ２に画像形成領域１２ｉ２を形成させる。画像形成領域１２ｉ１，１２ｉ２は、あおり投写を行った場合と逆台形、即ち投写画像Ｇａがあおり方向に向かうほど縮小する台形形状に形成されている。
また、台形歪補正手段１５は、領域Ａ１，Ａ２内の画像形成領域１２ｉ１，１２ｉ２の外側の領域Ｂ１，Ｂ２に含まれる画素データの光透過率が最小となるように画像データを補正する。
【００５５】
以上の結果、図５（ｃ）に示すように、投写画像Ｇａは、左右方向（±Ｘ方向）に延出する区切線Ｌｃで上下２つの部分領域に分割されたように表示される。そして、下側の部分領域には、領域Ａ１に対応する投写画像Ｇ１が投写され、上側の部分領域には、領域Ａ２に対応する投写画像Ｇ２が投写される。投写画像Ｇ１、Ｇ２は、領域Ｂ１，Ｂ２に対応する領域Ｇｎには光がほとんど照射されないことから、正規の形状（矩形状）でスクリーンＳＣに表示される。
このとき投写される投写画像Ｇ２の幅ｗ２は、投写画像Ｇ１の幅ｗ１より大きくなり、投写画像Ｇ２は投写画像Ｇ１より大きく投写される。また、投写画像Ｇ２は、投写画像Ｇａ全体を補正する場合（図４（ｂ）参照）の投写画像Ｇａの上側となる画像より大きな画像となる。
【００５６】
なお、図５に示す例では区切線Ｌｃによって投写画像Ｇａを２つの部分領域に区切っているが２つ以上の区切線により、投写画像Ｇａを３つ以上の部分領域に区切るように構成しても良い。また、それぞれの部分領域の大きさが異なってもよく、これら区切線の数、および位置を示す領域情報は、領域設定手段２０１により設定される。
【００５７】
次に、本実施形態のプロジェクター１の動作を図６〜図９のフローチャートを用いて説明する。図６はプロジェクター１が台形歪補        正を行うときの動作、図７はプロジェクター１が領域情報の設定を行うときの動作、図８はプロジェクター１が画像入力端子の切替操作を受け付けたときの動作、図９は画像メモ２１２に画像データが保存および再生されるときのプロジェクター１の動作（画像メモ保存再生動作）を示すフローチャートである。
〔台形歪補正の動作〕
図６に示すように、プロジェクター１が台形歪補正動作をスタートすると（ステップＳ１０１）、制御手段２０は、画像信号処理手段１７から出力される画像にＯＳＤ処理手段１６においてＯＳＤ画像を重畳させ、台形歪補正手段１５の画像記憶手段１５１に出力する（ステップＳ１０２）。次にステップＳ１０３に遷移する。
【００５８】
ステップＳ１０３において、制御手段２０は、台形歪補正手段１５に指示し、領域設定手段２０１により設定された領域情報に基づき、各部分領域毎に画像の台形歪補正を行い、補正後の画像データを液晶駆動手段１４に出力する。ステップＳ１０３が台形歪補正ステップに相当する。
【００５９】
ステップＳ１０４において、制御手段２０は、画像投写手段１０により、台形歪補正後の画像を投写させ、ステップＳ１０５に遷移する。
【００６０】
ステップＳ１０５において、本動作フローを終了する。
【００６１】
図７はプロジェクター１が領域設定手段２０１により領域情報を設定するときの動作を示すフローチャートであり、領域情報を設定する操作を受け付けたときの動作、および領域情報を設定するコマンドを受信したときの動作、を示す。
〔領域情報の設定操作を受け付けたときの動作〕
図７に示すように、プロジェクター１が動作中に、入力操作手段２３の所定の操作（領域情報設定操作）を受け付けると（ステップＳ２０１）、制御手段２０は入力操作手段２３のキー操作に基づき、投写画像Ｇａを区切るための区切線Ｌｃの数、および区切線Ｌｃの位置などの情報を取得し（ステップＳ２０２）      、ステップＳ２０３に遷移する。
【００６２】
ステップＳ２０３において、領域設定手段２０１は、ステップＳ２０２により取得した情報に基づき、領域情報を設定し、ステップＳ２０４に遷移する。ステップＳ２０３が領域設定ステップに相当する。
【００６３】
ステップＳ２０４において制御手段２０は、図６に示す台形歪補正動作を実行し、ステップＳ２０５に遷移する。
【００６４】
ステップＳ２０５において、本動作フローを終了する。
【００６５】
〔領域情報の設定コマンドを受信したときの動作〕
図７に示すように、プロジェクター１が動作中に、通信手段２４より所定のコマンド（領域情報設定コマンド）を受信すると（ステップＳ２１１）、制御手段２０は受信したコマンドより、投写画像Ｇａを区切るための区切線Ｌｃの数、および区切線Ｌｃの位置などの情報を取得し（ステップＳ２１２）            、ステップＳ２０３に遷移する。
ステップＳ２０３以降の動作は上述したので説明は省略する。
【００６６】
〔画像入力端子の切替操作を受け付けたときの動作〕
図８に示すように、プロジェクター１が動作中に、入力操作手段２３の入力切替キーなどにより画像信号が入力される画像入力端子６の切替操作を受け付けると（ステップＳ３０１）、制御手段２０は、画像信号入力手段１８に指示して画像入力端子６を切り替え（ステップＳ３０２）、ステップＳ３０３に遷移する。
【００６７】
ステップＳ３０３において領域設定手段２０１は、選択されている画像入力端子６に対応した領域情報を領域設定情報２１１より取得して設定し、ステップＳ３０４に遷移する。
【００６８】
ステップＳ３０４において制御手段２０は、図６に示す台形歪補正動作を実行し、ステップＳ３０５に遷移する。
【００６９】
ステップＳ３０５において、本動作フローを終了する。
【００７０】
図９はプロジェクター１の画像メモ保存再生動作を示すフローチャートであり、同図（ａ）は画像データを保存するときの動作、同図（ｂ）は保存した画像データを再生するときの動作、を示す。
〔画像データを保存するときの動作〕
図９（ａ）に示すように、プロジェクター１が画像投写中に、入力操作手段２３のメモ保存キーにより画像データを保存する操作を受け付けると（ステップＳ４０１）、制御手段２０は投写中の画像に対応する画像データを画像メモ２１２に保存し（ステップＳ４０２）、ステップＳ４０３に遷移する。
【００７１】
ステップＳ４０３において領域設定手段２０１は、現在設定されている領域情報を領域設定情報２１１に保存し、ステップＳ４０４に遷移する。
【００７２】
ステップＳ４０４において、本動作フローを終了する。
【００７３】
〔画像データを再生するときの動作〕
図９（ｂ）に示すように、プロジェクター１が、入力操作手段２３のメモ表示キーにより画像データを再生する操作を受け付けると（ステップＳ５０１）、制御手段２０は画像メモ２１２に保存された画像データに対応する画像を投写させ（ステップＳ５０２）、ステップＳ５０３に遷移する。
【００７４】
ステップＳ５０３において領域設定手段２０１は、領域設定情報２１１より、画像メモ２１２に保存した画像データに対応した領域情報を取得して設定し、ステップＳ５０４に遷移する。
【００７５】
ステップＳ５０４において制御手段２０は、図６に示す台形歪補正動作を実行し、ステップＳ５０５に遷移する。
【００７６】
ステップＳ５０５において、本動作フローを終了する。
【００７７】
上述した実施形態によれば、以下の効果を得られる。
本実施形態のプロジェクター１によれば、投写画像を区切線によって複数の部分領域に区切り、各部分領域毎に台形歪補正を行う。これにより、投写画像全体を台形歪補正する場合に比べ、部分領域に区切ることで台形歪補正による画素値の間引きが少なくなり、さらにあおり投写による拡大幅が大きい部分領域ほど台形歪補正後の投写画像の幅が大きくなる。つまり、あおり方向に向かう部分領域ほど、台形歪を補正した上でより大きな画像を投写することが可能となる。
【００７８】
また、領域設定手段２０１は、入力操作手段２３の所定の操作により領域情報を設定する。これにより、投写中の画像に応じ、台形歪補正における投写画像の区切り方を変更し、部分領域毎に台形歪を補正することが可能となる。
【００７９】
また、外部機器から所定の領域情報設定コマンドにより領域情報を設定する。これにより、プロジェクター１を外部機器で制御しているとき、通信コマンドによって台形歪補正における画像データの区切り方を変更し、部分領域毎に台形歪を補正することが可能となる。
【００８０】
また、画像信号が入力される画像入力端子６を切り替えるとき、画像入力端子６に対応した領域情報を設定する。これにより、複数の画像入力端子６に異なる外部機器を接続している場合、画像入力端子を切り替え操作に連動して、画像入力端子６に対応する投写画像の区切り方を変更し、部分領域毎に台形歪を補正することが可能となる。
【００８１】
また、投写中の画像に対応する画像データを画像メモ２１２に保存し、所定の操作により保存した画像を読み出して、保存した画像データに対応した領域情報を設定する。これにより、保存した画像データを読み出して投写するときに、画像データに対応して投写画像の区切り方を変更し、部分領域毎に投写画像の台形歪を補正することが可能となる。
【００８２】
また、上記実施形態は、以下のように変更してもよい。
（変形例１）
上述した実施形態ではプロジェクター１は上方向のあおり投写による台形歪を補正するときに、投写画像を左右方向（水平方向）に延出する区切線Ｌｃで上下方向に区切ってそれぞれの部分領域を補正しているが、水平方向のあおり投写のとき、投写画像を垂直方向に延出する区切線で水平方向に区切り、それぞれの部分領域を補正するようにしてもよい。
【００８３】
（変形例２）
上述した実施形態において、画像メモ２１２は複数の画像データを保存し、領域設定情報２１１はそれぞれの画像データに対応した領域情報を保存するようにしてもよい。
【符号の説明】
【００８４】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…台形歪補正手段、１６…ＯＳＤ処理手段、１７…画像信号処理手段、１８…画像信号入力手段、２０…制御手段、２０１…領域設定手段、２１…記憶手段、２１１…領域設定情報、２１２…画像メモ、２２…光源制御手段、２３…入力操作手段、２４…通信手段、３０…電源端子、３１…電源部、ＳＣ…スクリーン。
【図１】
2014225824.tif 000003
【図２】
2014225824.tif 000004
【図３】
2014225824.tif 000005
【図４】
2014225824.tif 000006
【図５】
2014225824.tif 000007
【図６】
2014225824.tif 000008
【図７】
2014225824.tif 000009
【図８】
2014225824.tif 000010
【図９】
2014225824.tif 000011